(57)【要約】【課題】全て樹脂製の把手部材が簡単に取り付けられ、かつ取付強度の向上が可能な見本帳用把手を提案する。【解決手段】取付部材に回動自在に取付け可能なアーチ状の把手部材と、下面に所定の間隔を置いて一対の取付軸を有する取付部材と、取付軸が嵌入可能な嵌入孔と、この嵌入孔と連続して設けられ取付軸が係入可能な嵌合孔とを有する平板状の止め部材からなり、取付軸を表紙体の取付穴に挿入し、取付軸を嵌入孔に嵌入させたうえ止め部材を横方向に移動させて止め部材を係合させ、表紙体を挟持するように取付けて見本帳用把手を構成した。止め部材の固定手段として、取付軸の周面に嵌合孔と係合可能な嵌合溝を設け、この嵌合溝の中央に係合突起を形成する一方、嵌合孔に係合突起が係合する係合凹部を設けた。また、取付軸の周面に嵌合孔と係合可能な嵌合溝を設ける一方、嵌合孔の端部入り口に係止突起を設けた。【選択図】　図１
2004142393.tif 000002
【特許請求の範囲】
【請求項１】
取付部材に回動自在に取り付け可能なアーチ状の把手部材と、下面に所定の間隔を置いて一対の取付軸を有する取付部材と、上記取付軸が嵌入可能な嵌入孔と、この嵌入孔と連続して設けられ上記取付軸が係入可能な嵌合孔とを有する平板状の止め部材からなり、上記取付部材の取付軸を見本帳表紙体の取付穴に挿入し、取付軸を上記嵌入孔に嵌入させたうえ止め部材を横方向に移動させて取付軸に止め部材を係合させて取付軸を固定し、表紙体を挟持するように取り付けることを特徴とする見本帳用把手。
【請求項２】
取付部材の取付軸の周面に止め部材の嵌合孔と係合可能な嵌合溝を設け、この嵌合溝の中央に係合突起を形成する一方、止め部材の嵌合孔に上記係合突起が係合する係合凹部を設け、止め部材を移動させることで係合突起と係合凹部が係合して取付軸を固定し、表紙体を挟持する請求項１記載の見本帳用把手。
【請求項３】
取付部材の取付軸の周面に止め部材の嵌合孔と係合可能な嵌合溝を設ける一方、止め部材の嵌合孔の端部入り口に係止突起を設け、止め部材を移動させることで嵌合孔内に取付軸を固定し、表紙体を挟持する請求項１記載の見本帳用把手。
【請求項４】
把手部材、取付部材、止め部材を焼却可能で環境を汚染しない合成樹脂で構成した請求項１から請求項３の何れか１項記載の見本帳用把手。
【発明の詳細な説明】
【０００１】
【発明の属する技術分野】
この発明は、壁紙やカーテン、カーペットなどの見本帳の把手に関し、特に、その構成部材が全て焼却可能な素材で構成されるとともに、見本帳への取り付けが簡単に行える把手に関するものである。
【０００２】
【従来の技術】
近年、種々の製品について環境配慮型の製品が求められる中で、カーテン・カーペットなどの建築資材の見本帳においても、廃棄時に素材の分別廃棄や一括焼却が可能な製品が求められるようになってきている。カーテン・カーペットなどの建築資材は、色、柄、素材などが流行や素材開発の進行に合わせて年々変わる。そこで、２〜３年の周期で新しい見本帳がカーテン・カーペットの製造業者により発行されて、建築会社や建築設計事務所などに配布されている。従って、２〜３年の周期で古くなった見本帳は廃棄されることになるが、これらの見本帳は大手の製造業者の場合、１０万冊以上の部数を配布しており、新規発行のたびに、古い見本帳が大量に廃棄されるので、環境に配慮した製品が望まれている。
【０００３】
特に、従来の見本帳は大きく重量があるので、表紙は厚紙（板紙）を使用し、見本台紙は紙製、台紙を綴じる綴じ具は見本重量に耐えられるように金属製の頑丈な構造・素材のものが使用されていた関係で、紙と金属から構成されており、焼却する場合は紙と金属素材に分別する必要があった。しかしながら、前記の通り、見本帳自体が重量があるために頑丈に作られており、綴じ具と表紙の分離は非常に困難であって、結局は不燃ゴミとして埋め立て処分に回されることが多かった。そこで、最低限、一括して焼却できる見本帳が求められるようになり、例えば特許文献１に示すように、構成素材が可燃物、即ち紙と樹脂のみで構成される見本帳が最近提案され、使用されるに至っている。
【０００４】
一方、見本帳は、数多くの見本片を貼り付けるために大きなものが多く、しかも壁紙・カーテン・カーペットなど被貼着物の重量もあって、通常のファイルなどと違い、持ち運び用の把手がないと不便であった。即ち、内装の相談のため施主などの顧客を訪問する営業員にとって、見本帳を持参する必要があり、持ち運び用の把手がないと非常に不便であった。従来の見本帳では、把手は前記の条件から金属製のものが大半であったので一括焼却はできなかったが、最近は樹脂製の把手が提案され使用されるに至っている。例えば、特許文献２、特許文献３に示すものである。
【０００５】
これらの先行技術において、把手本体と把手台座の形状は金属製と樹脂製で本質的に変わりはなく、把手側に軸を突出させ、台座側に軸受部を形成していたが、把手台座を表紙体に取り付ける方法が異なる。即ち、従来であれば、台座は金属製のネジで取り付けられていたが、全ての部材を樹脂製にするために、ネジ付けではなく樹脂部材相互の係合により取り付けられる。例えば特許文献１においては、軸受部品の取付軸に溝を形成し、これに表紙裏側からＵ字状の止め具をスライドして嵌め込む。特許文献３においても、止具を提手本体の環状段部の係合部に嵌め込んで提手本体を表紙体に取り付けており、基本的な形状は同様である。これらの係合方法により、素材が樹脂であっても把手を表紙体に取り付けることができる。
【０００６】
【特許文献１】
特開２０００−３４３８６８号公報
【特許文献２】
特開２０００−３１６６２５号公報
【特許文献３】
実公平１−２０８９７号公報
【０００７】
【発明が解決しようとする課題】
しかしながら、これらの先行技術によると、止具は取付軸に一つずつ取り付けなければならないので、取付の作業性が悪く、また、表紙体との関係では、取付軸周縁のみで表紙体を挟み込んでいる状態であり、取付強度の面で不安がある。
【０００８】
そこで、本発明では、全て樹脂製の把手部材が簡単に取り付けられ、かつ取付強度の向上が可能な見本帳用把手を提案する。
【０００９】
【課題を解決するための手段】
上記課題を解決するため、本発明は、見本帳用把手において、取付部材に回動自在に取り付け可能なアーチ状の把手部材と、下面に所定の間隔を置いて一対の取付軸を有する取付部材と、上記取付軸が嵌入可能な嵌入孔と、この嵌入孔と連続して設けられ上記取付軸が係入可能な嵌合孔とを有する平板状の止め部材からなり、上記取付部材の取付軸を見本帳表紙体の取付穴に挿入し、取付軸を上記嵌入孔に嵌入させたうえ止め部材を横方向に移動させて取付軸に止め部材を係合させて取付軸を固定し、表紙体を挟持するように取り付けるという手段を採用した。
【００１０】
かかる構成の見本帳用把手は、止め部材を横方向に移動させるだけで、見本帳表紙体を挟持するように取付部材の取付軸に止め部材を係合させて取付軸を固定するので、把手を簡単かつ強固に表紙体に取り付けることが可能となるものである。また、平板状の止め部材と取付部材とで表紙体を挟持するので、取付強度が増大する。
【００１１】
そして、取付軸に止め部材を固定する手段として、取付部材の取付軸の周面に止め部材の嵌合孔と係合可能な嵌合溝を設け、この嵌合溝の中央に係合突起を形成する一方、止め部材の嵌合孔に上記係合突起が係合する係合凹部を設け、止め部材を移動させることで係合突起と係合凹部が係合して取付軸を固定し、表紙体を挟持するという手段を採用した。
【００１２】
かかる構成においては、嵌合孔内で、係合突起と係合凹部が係合して取付軸が強固に固定される。
【００１３】
また、他の手段として、取付部材の取付軸の周面に止め部材の嵌合孔と係合可能な嵌合溝を設ける一方、止め部材の嵌合孔の端部入り口に係止突起を設け、止め部材を移動させることで嵌合孔内に取付軸を固定し、表紙体を挟持するという手段も採用した。
【００１４】
かかる構成であっても、嵌合孔内に取付軸を固定することができる。
【００１５】
そして、上記各構成において、把手部材、取付部材、止め部材を焼却可能で環境を汚染しない合成樹脂で構成するという手段を採用した。
【００１６】
焼却しても環境ホルモン等の汚染物質を排出しないので、環境に優しく、また分別作業の手間を軽減でき、見本帳全体を一括焼却可能とするものである。
【００１７】
【発明の実施の形態】
以下、本発明に係る見本帳用把手の好ましい実施形態を、図面に従って説明する。図１は、本発明品の分解斜視図であり、図において、１は持ちやすいようにアーチ状とした把手部材、２は上記把手部材１を回動自在に取り付けると共に、見本帳に固定される取付部材、３は上記取付部材を固定するための止め部材である。これらの部材は何れも合成樹脂素材で形成され、特に焼却しても環境ホルモン等の有害物質を発生しない材料で構成することが好ましい。
【００１８】
また、図２（Ａ）、（Ｂ）、（Ｃ）はそれぞれ把手部材１の正面図、底面図、右側面図である。図３（Ａ）、（Ｂ）、（Ｃ）はそれぞれ取付部材２の正面図、底面図、右側面図である。図４（Ａ）、（Ｂ）、（Ｃ）、（Ｄ）はそれぞれ止め部材３の正面図、平面図、底面図、右側面図であり、（Ｅ）は底面図の部分拡大図である。
【００１９】
把手部材１は、図２に示すように、アーチ状のハンドル部４と、ハンドル部４の両端部内側に対向突出して設けた回動軸５、５からなる。
【００２０】
取付部材２は、図３に示すように、上記把手部材１のアーチ状ハンドル部４と呼応した凹部を有する基体６の左右両端に、上記把手部材１の回動軸５が挿入可能な軸受部７を有すると共に、下面に所定の間隔を置いて一対の取付軸８、８を有する。この取付軸８は見本帳の表紙体に予め設けた取付穴に挿入して使用するもので、各取付軸８の周面には、基体下面から挟持する表紙体の厚さをおいて嵌合溝９を形成すると共に、この嵌合溝の中央部分には係合突起１０を形成している。
【００２１】
止め部材３は、図４に示すように、下面長手方向縁部にリブ１１を設けた平板状部材で、上記取付部材２の取付軸８、８と対応して、取付軸８が嵌入可能な円状の嵌入孔１２、１２を設けると共に、これと連続して方形状の嵌合孔１３、１３を設けている。この嵌合孔１３は上記取付軸８の嵌合溝９が摺動して係入可能な大きさであり、上記係合突起１０と係合する係合凹部１４を有する。
【００２２】
次に、上記構成からなる見本帳用把手の取り付けについて、図５、図６を参照して説明する。見本帳の表紙体（Ｈ）の取り付け部分には予め所定の間隔を置いて取付穴が設けられているものとする。まず、把手部材１の回動軸５を取付部材２の軸受部７に回動自在に取り付ける。次に、取付部材２の取付軸８を上記表紙体の取付穴に挿入し、表紙体裏面から突出した取付軸８を止め部材３の嵌入孔１２に挿入して取付部材２と止め部材３で表紙を挟定する。その状態で止め部材３を横方向に手でスライド移動させると、嵌合溝９を介して取付軸８が嵌合孔１３に係入し、取付軸８の係合突起１０と嵌合孔１３の係合凹部１４が係合する（図６参照）。これにより取付部材２は表紙体に強固に固定されることになり、上方向に抜けることが無くなる。
【００２３】
従って、見本帳表紙への把手の取付は、止め部材を取付軸に嵌め合わせて手でスライド移動させるだけという、極めて簡単な動作で行うことが可能である。また、取り外す場合も、止め部材をスライド移動させて取付軸との係合を解除するだけで、簡単に分解でき、取り外すことができる。そして、これらの作業において、特殊な工具等は一切必要としない。
【００２４】
図７は、止め部材の他の実施形態を示すものである。即ち、図７において、１５は嵌合孔の端部入り口に設けた係止突起である。この止め部材も上例とほぼ同様の手順によって取り付けるが、嵌合孔に取付軸を嵌入させて止め部材をスライド移動させると、係止突起の部分が弾性的に拡開して取付軸を通過させ、通過後は再び閉じることになる。これにより嵌合孔内に取付軸が固定され、取付部材を取り付けることができる。この場合、嵌合溝内の係合突起は省略できる。
【００２５】
【発明の効果】
以上述べたように、本発明にかかる見本帳用把手は、見本帳の表紙体を取付部材と止め部材で挟定し、止め部材をスライド移動させるだけで取り付けることができるから、把手の取付作業が誰にでも極めて簡単に行うことができるようになった。
【００２６】
また、表紙体を平板な止め部材で挟定するので、従来に比べて取付強度が格段に増大している。
【００２７】
さらに、この把手は全ての素材を焼却可能な合成樹脂材で製作することが可能であるので、見本帳全体を直ちに一括焼却可能であり、非焼却物の分別作業の手間を軽減できる。
【図面の簡単な説明】
【図１】本発明にかかる見本帳用把手の分解斜視図である。
【図２】（Ａ）は把手部材の正面図、（Ｂ）は底面図、（Ｃ）は右側面図である。
【図３】（Ａ）は取付部材の正面図、（Ｂ）は底面図、（Ｃ）は右側面図である。
【図４】（Ａ）は止め部材の正面図、（Ｂ）は平面図、（Ｃ）は底面図、（Ｄ）は右側面図、（Ｅ）は底面図の部分拡大図である。
【図５】見本帳用把手を見本帳表紙体に取り付けた状態の側面図である。
【図６】取付軸と嵌合孔の係合を示す説明図である。
【図７】止め部材の他の例を示すもので、Ａ）は正面図、（Ｂ）は平面図、（Ｃ）は底面図、（Ｄ）は右側面図、（Ｅ）は底面図の部分拡大図である。
【符号の説明】
１　　把手部材
２　　取付部材
３　　止め部材
４　　ハンドル部
５　　回動軸
６　　基体
７　　軸受部
８　　取付軸
９　　嵌合溝
１０　　係合突起
１１　　リブ
１２　　嵌入孔
１３　　嵌合孔
１４　　係合凹部
１５　　係止突起
【図１】
2004142393.tif 000003
【図２】
2004142393.tif 000004
【図３】
2004142393.tif 000005
【図４】
2004142393.tif 000006
【図５】
2004142393.tif 000007
【図６】
2004142393.tif 000008
【図７】
2004142393.tif 000009